(57)【要約】  ガス体とベントナイトとの間で接触することができるように、担体中に配置されたベントナイトを含む、ガス体由来の毒素及び／又は環境汚染物質を除去するためのフィルター材料。【選択図】図７
2008543537.tif 000002
【特許請求の範囲】
【請求項１】
ガス体とベントナイトとの間で接触することができるように、担体中に配置されたベントナイトを含む、ガス体由来の毒素及び／又は環境汚染物質を除去するためのフィルター材料。
【請求項２】
前記ベントナイトが、粉砕、顆粒及び／又は粉末形状である、請求項１記載のフィルター材料。
【請求項３】
前記ベントナイトがカルシウムベントナイトである、請求項１又は２記載のフィルター材料。
【請求項４】
前記ベントナイトの少なくとも一部が、化学的又は物理的処理によって修飾されている、請求項１乃至３のいずれか１項記載のフィルター材料。
【請求項５】
前記ベントナイトが修飾及び未修飾ベントナイトの混合物を含む、請求項４記載のフィルター材料。
【請求項６】
前記ベントナイト粒子の少なくとも一部の表面が、界面活性剤の導入により修飾されている、請求項２記載のフィルター材料。
【請求項７】
親水性を低下させるために、前記ベントナイトの少なくとも一部が、１以上の界面活性剤の導入により修飾されている、請求項１乃至６のいずれか１項記載のフィルター材料。
【請求項８】
前記界面活性剤がカチオン性界面活性剤である、請求項７記載のフィルター材料。
【請求項９】
前記界面活性剤が、一般式（ＣＨ３）３ＮＲ＋の四級アンモニウム界面活性剤である、請求項７記載のフィルター材料。
【請求項１０】
前記界面活性剤が、臭化セチルトリメチル（ＣＴＡＢ）及び／又はトシル化セチルトリメチルアンモニウム（ＴＴＡＢ）である、請求項７記載のフィルター材料。
【請求項１１】
前記担体がポリマーマトリクスである、請求項１乃至１０のいずれか１項記載のフィルター材料。
【請求項１２】
請求項１乃至１１のいずれか１項記載のフィルター材料を含むタバコ、喫煙パイプ又は葉巻。
【請求項１３】
請求項１乃至１１のいずれか１項記載のフィルター材料を含むガスマスク。
【請求項１４】
請求項１乃至１１のいずれか１項記載のフィルター材料を含む空調ユニット。
【請求項１５】
請求項１乃至１１のいずれか１項記載のフィルター材料を含む自動車の排ガス。
【請求項１６】
請求項１乃至１１のいずれか１項記載のフィルター材料を含む排気筒。
【請求項１７】
ガス体をベントナイトと接触させることを含む、ガス体由来の毒素及び／又は環境汚染物質を除去する方法。
【発明の詳細な説明】
【技術分野】
【０００１】
本発明は、特に燃焼の際に発生又は揮発する、潜在的に毒性のある化学物質及び環境汚染物質の除去に関する。本発明は、特に、工場排出物、自動車の排気ガス等を含む任意の物質の燃焼由来の煙、及びタバコの燃焼により発生する煙に適用可能である。便宜上、本発明は、主として、巻きタバコ、葉巻タバコ、喫煙パイプ又は他の喫煙道具と同時に用いるタバコの煙用のフィルター材料に関して説明されるだろう。それにもかかわらず、本発明の材料が、テロ行為に対抗するための毒素をろ過するガスマスクの成分として、火災の近く、及び／又は持続性の大気汚染を伴う都市において用いるため、工業工程における煙突又は他の場所におけるフィルターとして、毒物排出を減少するための自動車排気システムの一部として、及び他の用途において、部屋又は建物由来の揮発性有機汚染物質を除去するための空調装置等と一緒に用いることができると考えられる。更に、空気サンプリング装置への導入、分析用揮発成分の捕捉、毒素及び／又は環境汚染物質の除去と直接関連しない他の用途が考えられる。
【背景技術】
【０００２】
国際ガン研究機関（ＩＡＲＣ）の報告により、タバコの煙中の４４種の化学物質は「グループＩ」として分類される。報告された９種の主要な化学物質には、金属及び有機化合物（ベリリウム、カドミウム、ヒ素、ニッケル、クロム、２−ナフチルアミン、塩化ビニル、４−アミノビフェニル及びベンゼン）の両方が含まれる。主流煙中のそれらの濃度はタバコのタイプによる（Ｓｍｉｔｈら，１９９７年）。１９５０年代における穿孔あり又は穿孔なしのフィルターの導入、及び高度な多孔性のシガレットペーパーの利用は、タバコの煙からの発ガン物質の吸入を有意に減少させた。しかし、それらの多くの伝統的なタバコフィルターは、いくつかの化学物質を保持しない（Ｄｅｌｉｃｏｎｓｔａｎｔｉｎｏｓら，１９９４年）。
【０００３】
参考文献
以下の文献の内容は、本明細書に参考文献として組み入れられる。
【非特許文献１】D. Hoffman, I. Hoffman, J. Toxi & Environ. Health, 1997年, 50巻, P307-364.
【非特許文献２】CJ. Smith, S.D. Livingston, D.J. Doolittle, Food and Chem. Toxi., 1997年, 35巻, P1107-1130.
【非特許文献３】G. Deliconstantinos, V. Villiotou, J. C. Stavrides, Anticaner Res., 1994年, P2717.
【非特許文献４】R.D. Safaev, D. G. Zaridze, D. Hoffman, K.Brunnemann, Y. Liu. Eksperimentalnaia Onkologia, 1995年, 17巻, P71.
【非特許文献５】R. Naseem, S. S. Tahir, Wat. Res., 2001年, P3982.
【非特許文献６】S.A. Boyd, M.M. Mortland, CT. Chiou, Soil Sci . Am. J. 1988年.
【非特許文献７】Y.H. Shen, Chemosphere, 2001年, P989.
【非特許文献８】M. C Irene, X.Y. Yang, Environ. Sci. Technol . , 2001年, 35巻, P620.
【非特許文献９】L.H. Zhu, B. L. Chen, Environ. Sci. Technol., 2000年, 34巻, P2997.
【非特許文献１０】J.J. Deitsch, J.A. Smith, M. B. Arnold, J. Bolus, Environ. Sci. Technol., 1998年, 32巻, P3169.
【発明の開示】
【発明が解決しようとする課題】
【０００４】
従って、喫煙の際に発生する潜在的に毒性の化学物質、特に、タバコの煙由来の発ガン物質を除去するための効果的なフィルターの必要性が残っている。
【課題を解決するための手段】
【０００５】
本発明の第一の態様によれば、ガス体とベントナイトとの間で接触することができるように、担体中に配置されたベントナイトを含む、ガス体由来の毒素及び／又は環境汚染物質を除去するためのフィルター材料が提供される。
【０００６】
本発明の第二の態様によれば、ガス体をベントナイトと接触させることを含む、ガス体由来の毒素及び／又は環境汚染物質を除去する方法が提供される。
【０００７】
本発明の第三の態様によれば、ガス体由来の毒素及び／又は有機汚染物質を除去するためのベントナイトの使用が提供される。
【０００８】
ベントナイトは、別個の担体と共にフィルター材料を形成してもよく、又はフィルター材料の一部を形成してもよい。フィルター材料は、タバコにおいて従来より用いられている繊維状の酢酸セルロースフィルター等の従来のフィルター材料であってもよいが、導管又はチャンネルを横断して配置するガス透過性膜等の、それを通過するガス流のためのフィルターとして有用な他のポリマーマトリクス又は材料の一部を形成してもよい。
【０００９】
フィルター材料中にベントナイトを封入する、いかなる手段を用いてもよい。ベントナイトが、潜在的にタバコの煙からの有害な化学物質をろ過するのに用いられる場合、例えば、ベントナイトは、ポリマーマトリクス中で、粉砕、顆粒状及び／又は粉末状の形態であってもよく、又はこのようなマトリクス中の分散した領域を形成してもよい。特に、タバコの煙の場合、マトリクスは、当業者に周知であるように、多孔性又は煙に対して不浸透性であってもよい、紙又は他の不活性担体によって封入されてもよい。また、紙中に封入されたベントナイトの分散した領域があってもよい。そのような領域は１又はいくつかあってもよく、それらは、従来のフィルターの領域、又は、ベントナイトが従来のフィルターの中に分散する領域と交代することができる。
【００１０】
一実施態様においては、タバコ、葉巻、又は喫煙パイプの喫煙で発生するタバコの煙が、吸入前にベントナイトを通じてろ過されるように配置される、ベントナイトを含む、タバコ、葉巻又は喫煙パイプにおいて用いるための煙フィルターが提供される。
【００１１】
また、この実施態様は、ベントナイトを含むタバコの煙フィルターであって、該タバコの煙フィルターが、タバコ、葉巻又は喫煙パイプの喫煙で発生するタバコの煙が、吸入前にベントナイトを通じてろ過されるように配置されるタバコの煙フィルターが提供される。
【００１２】
タバコ、葉巻及び喫煙パイプを喫煙する、通常の形態は当業者に周知である。タバコ中のフィルター及びタバコの従来の配置は、喫煙者の口の遠位末端にタバコを含む部分を囲む紙を有する。このような従来の配置は本発明において用いることができると考えられるが、ベントナイトが、喫煙過程において発生するタバコの煙をろ過する役目をする他のどのような配置であってもよい。本発明のフィルターは、喫煙パイプ中に挿入することができる。また、所望であれば、ベントナイトは、タバコに、例えば、タバコ中の喫煙者の口に近い部分に挿入することができる。
【００１３】
他の実施態様においては、ガス流が内部を循環するか、それらを通して通過する空間に再循環するようにベントナイトが配置される、ガス体由来の毒素及び／又は環境汚染物質をろ過するための、空間内に配置されるフィルターが提供される。
【００１４】
特に、本発明のこの実施態様は、空調システムを通じて再循環されるような領域内のタバコの煙中、及び空調領域内で発生する他の煙中に含まれる、潜在的に毒性の化学物質が、空気から進行的にろ過される空調ユニット又は導管等に配置されるろ過システムであると考えられる。従って、空気中の潜在的に毒性の化学物質のレベルは、多くの喫煙者がいる環境であっても減少され得る。従って、喫煙しない、居合わせている人によって吸入される潜在的に毒性の化学物質の量は減少され得る。同様に、ガス体は分析用の空気サンプリング装置によって捕捉され得る。
【００１５】
更なる実施態様においては、燃焼チャンバー内で発生したガスが、それらが消耗されるように、ベントナイトと接触するようにベントナイトを配置することを含む、燃焼チャンバー中で発生した煙由来の毒素をろ過するためのろ過システムが提供される。
【００１６】
本発明の一形態においては、ベントナイトは、スタックを通じて煙と接触して消耗することができる。また、それは、自動車の排気ガス又はガスマスクの一部を形成することができる。
【００１７】
通常、ベントナイトは、ＨＥＰＡ（アクリレートを結合したポリオキシエチレンポリマー）フィルター等のろ過システム中、又はこのようなシステムについての他の通常のフィルター中に導入することができる。また、ガス流は、適切な容器中に配置された、又は担体によって配置されたベントナイトの大きな塊を通過することができる。
【００１８】
本発明のベントナイトは、好ましくは、カルシウムベントナイトである。
【００１９】
ベントナイトは、化学的又は物理的処理によって修飾されていてもよく、又は修飾されていなくてもよい。主にスメクティックなクレイである、未修飾ベントナイトは負の表面を有する。本発明で用いられるのは、修飾及び未修飾ベントナイトの組み合わせであってもよい。ベントナイト粒子の表面は、１以上の界面活性剤を導入することによって修飾されていてもよい。ベントナイトは、その親水性を低下させるために、例えば、１以上の界面活性剤、特にカチオン性界面活性剤を導入することにより修飾されていてもよい。通常、この目的のためにベントナイトを修飾するために、臭化セチルトリメチル（ＣＴＡＢ）又はトシル化セチルトリメチルアンモニウム（ＴＴＡＢ）等の、一般式（ＣＨ３）３ＮＲ＋の四級アンモニウム界面活性剤を用いることができる。
【発明を実施するための最良の形態】
【００２０】
今後、本発明の実施態様を、添付する図面を参照して、単に具体例の目的で説明する。
最初に、図７を参照し、本発明の実施態様によるタバコ１０を示す。タバコ１０は、フィルター材料１２を取り巻くフィルターペーパー中にタバコ及び通常の添加剤が包まれたタバコ部分１１を含む。この具体例におけるフィルター材料１２はそこに配置されるベントナイトの粒子を含む。ベントナイト粒子の分散は広く均一であるか、フィルター材料１２の部分に濃縮されていてもよい。ベントナイトは、通常、カルシウムベントナイトである。ベントナイトは修飾されていなくてもよく、又は、物理的処理、又はＣＴＡＢ又はＴＴＡＢ等の有機化学物質を用いた化学処理によって修飾されていてもよい。他の表面活性剤又は界面活性剤、特にカチオン性界面活性剤を、ベントナイトを修飾するために用いることができる。ベントナイトは、ガス体及びベントナイトの間の接触を可能にするように、担体１３中に配置されている。担体１３は通常のものでよく、又は、その中へのベントナイト粒子の配置を確実にするために処理されていてもよい。フィルター材料１２は、通常の添加剤を含んでいてもよく、ベントナイトの添加を除き、通常の方法で製造されるだろう。
【００２１】
一実施態様においては、カルシウムベントナイト粒子が、フィルター材料１２中の領域に配置されてもよい。フィルター材料１２は、ベントナイト領域によって分割される分離構造を含んでいてもよく、又は単位構造中に分散されるベントナイト粒子の領域を含んでいてもよい。前者のケースにおいては、分離構造は、任意の好都合な手段により適切な位置にすることを確実にすることができ、ベントナイト粒子は、フリーであるか、又はマトリクス中に分散しており、マトリクスは、タバコの煙由来の潜在的に毒性の化学物質を吸収するベントナイトの性能に有意な逆効果を有しない。
【００２２】
今度は、図８、９、１０及び１１を参照し、本発明の他の実施態様を、ガスマスク１１０、自動車の排気ガス２１０、空調ユニット３１０、及び排気筒４１０の形態で示す。それぞれは、フィルター材料１１２、２１２、３１２及び４１２をそれぞれ含み、それぞれ担体１１３、２１３、３１３及び４１３中に分散したベントナイトを有する。
【００２３】
フィルター材料１１２、２１２、３１２及び４１２は、担体１３に関して、担体１１３、２１３、３１３及び４１３であるように、フィルター材料１２と同じである。
【００２４】
今度は、本発明を以下の実施例により説明する。
【００２５】
実施例１−煙の保持
実験の最初のバッチにおいて、煙を種々のベントナイト吸着剤に通し、ベントナイト相に保持された有機化合物をヘキサンで抽出し、ＧＣ／ＭＳを用いて評価した。これらの予備的な結果は、吸着剤で変化した、有意な化合物保持を示す空白、及び吸着剤で変化した保持の色及び度合いに関連し、ベントナイトフィルターの明確な変色を示した（図１）。
【００２６】
実施例２−金属イオン濃度（ＩＣＰ−ＭＳ）
この実験においては、１又は３本のタバコの煙を泡立てて、直列に接続した、２個の１０％ＨＮＯ３溶液（２０ｍＬ）中に集めた。これらの溶液を後で一緒にし、水で希釈（×２）し、ＩＣＰ−ＭＳで解析した。表１に示す結果は、図１Ａに示すようなガラスチューブに充填された０．１５ｇの吸着剤（サイズ、７５シーブ）ベントナイトフィルターの使用が、この捕集技術を用いた場合に、タバコの煙から捕捉される標的金属の量を一貫して増加させることを示す。これは、ベントナイトがタバコの煙由来の金属を抽出することができることを示す。
【００２７】
ＩＣＰ−ＡＥＳによる、タバコの煙中に検出された、選択された金属の濃度。１０％ＨＮＯ３（４０ｍＬ）で集めた煙。
【表１】
2008543537.tif 000003
【００２８】
実施例３−金属イオン濃度（ＩＣＰ−ＡＥＳ）
この実施例においては、フィルターを有しない、市販のフィルター又はベントナイトフィルター（０．１ｇ）を有する１、２又は４本のタバコを泡立てて、１０％ＨＮＯ３溶液（１０ｍＬ）中に集めた。酸溶液の金属含有量を、誘導結合プラズマ原子発光分光法により測定した。しかし、この技術を用いて、最初に提案した４種の標的金属（Ａｓ、Ｃｄ、Ｃｒ及びＰｂ）のうち、Ｐｂのみが、一貫して定量出来るレベルであった。
【００２９】
ＩＣＰ−ＡＥＳによる、タバコの煙中に検出された、選択された金属の濃度。１０％ＨＮＯ３（１０ｍＬ）で集めた煙。
【表２】
2008543537.tif 000004
【００３０】
前記に記載していない標的金属の定量できる限界は、Ａｓ（＜０．０４７ｍｇＬ-1）；Ｃｄ（＜０．０１４ｍｇＬ-1）及びＣｒ（＜０．０１１ｍｇＬ-1）であった。
【００３１】
これらの結果は、Ｃｕについて、金属保持におけるフィルタータイプの有意な効果がなかったことを示す。しかし、Ｚｎについてはベントナイトフィルターは、市販のフィルターと比較し、相当量のＺｎを実質的に保持した。
【００３２】
実施例４−フィルターに保持された有機化合物の特定
Ｐｈｉｌｉｐ  Ｍｏｒｒｉｓ  Ｌｔｄ．，からタバコを購入し（Ｐｅｔｅｒ  Ｊａｃｋｓｏｎ（エクストラマイルド））、標準のフィルターを除去した。ベントナイトフィルターが用いられた場所では、図１Ａに示すように、ガラスチューブに充填された、０．１５ｇの吸着剤（サイズ、７５シーブ）を含む。真空ポンプ（流速  ２５ｍｌ／分  近く）を用いて、タバコ由来の煙を、それぞれの新しいフィルターに通した。煙がチューブを通過した後、吸着剤をヘキサン（１．５ｍＬ）を用いて抽出し、吸着剤から、保持されている有機化合物を抽出した。抽出したヘキサン溶液をろ過し、次いで、化合物の特定のために、直接的にＧＣ／ＭＳシステム（５９７３ＭＳＤと結合したＡｇｉｌｅｎｔ  ６８７０ＧＣシステム）に注入した。
【００３３】
ＧＣ／ＭＳで用いられた通常の条件
ＤＢ−５；３０ｍ×０．５３ｍｍ、Ｉ．Ｄ．０．５μｍ；Ｈｅ：１．２ｍＬ／分
オーブン：３５℃で３分、４℃／分で５０℃まで、５℃／分で２００℃まで。
全稼働：３９分。
インジェクター：スプリットレス、２５０、１μＬ。
検出器：ＭＪＳ、３００℃トランスファーライン、ｍ／ｚ５０〜５００におけるフルスキャン。
【００３４】
煙に接触していない（unsmoked）ベントナイトクレーは、ヘキサンを用いて抽出した後、数種の化合物のみを少量（＜１５，０００）示した（図２）。
【００３５】
今後は、「煙に接触した（smoked）」なる用語は、タバコの煙がフィルターを通過したことを意味し、「煙に接触していない」なる用語は、単に、このような工程を欠如することを意味する。
【００３６】
最初に、商業的に得られるフィルターを、煙に接触させた後に抽出した。クロマトグラムは、いくつかの有機化合物の保持を示した（図３）。
【００３７】
市販のフィルターに保持された主要な化合物には、ニコチン、トルエン、フェノール、エテノン、リモネン、フルフロール、４−シクロペンテン−１，３−ジオン、２−シクロペンテン−１−オン、２−フランカルボキシアルデヒド、２，３−ジメチルシクロペン−２エン−１−オン、フェノール−２−メトキシル、トリアセチン及びネオフィタジエンが含まれる。
【００３８】
有機化合物の特定は、抽出した試料のＭＳＳフラグメンテーションパターンと、スペクトラルライブラリーにおいて利用できるものとの比較に基づく（図３ａ〜ｄに示すように）。
【００３９】
また、未修飾ベントナイト（図１ｂ）を煙に接触させ、ヘキサンを用いて抽出した。
【００４０】
市販のフィルター上に保持された数種の有機化合物と比較し、高濃度（大量）の２００種以上の有機化合物が、煙に接触した未修飾のフィルターから抽出された（図４）。
【００４１】
主要な有機化合物には、トルエン、エチルベンゼン、ｐ−キシレン、Ｌ−ロイシン、ベンゼン、２，４−ヘキサジエン、エタノン、２−フランカルボキシアルデヒド、フェノール、リモネン、ｏ−クレゾール、フェノール−２−メトキシル、ｐ−エチルフェノール、１−Ｈ−インドール、ナフタレン、ニコチン、ベンゼンメタノール、ソラノン、ファルネシルアセトンＢ、メガスティグマトリエノン（megastigmatrienone）、ネオフィトラジネン（neophytradinen）、トリアセチン、ニコチリン、ネオフィタジエン（neophytadiene）が含まれる。
【００４２】
また、ＣＴＡＢで修飾したベントナイト（図１Ｃ）を煙に接触させ、ヘキサンを用いて修飾した。
【００４３】
天然の（未修飾）ベントナイトフィルターで観察されたように、ＣＴＡＢ修飾フィルターも、また、タバコの煙を通した後に、高濃度（大量）の２００種以上の有機化合物を保持した（図５）。
【００４４】
ＴＴＡＢで修飾したベントナイト（図１Ｃ）も、また、タバコの煙を通し、ヘキサンを用いて抽出した後に、高濃度（大量）の１９０種以上の有機化合物を保持した（図６）。
【００４５】
これらの実施例は、ベントナイトフィルターが、従来のフィルター（図３）よりも有意に多い量の有機化合物を保持することができる（図４、５及び６）ことを明瞭に証明する
【００４６】
本研究において試験した、３種の異なる吸着剤の上に保持される主要な有機化合物の物理的特性を表３に示す。
【００４７】
一般に、有機ベントナイト（修飾）フィルター上で検出される所定の有機化合物の量は、天然のベントナイト（未修飾）フィルターのものよりも少ない。これは、結合した化合物の抽出を困難にする、修飾によるベントナイト表面の変化、及び修飾ベントナイトの部位及び有機化合物の間の相互作用に起因するのかもしれない。
【００４８】
タバコの煙をフィルターに通した後に、修飾及び未修飾ベントナイトフィルターから抽出した共通の化合物の保持時間及び量
【表３】
2008543537.tif 000005
【００４９】
以下の請求の範囲、及び本発明の前記記載において、文脈が、言語の表現又は必要な意味のためにその他のものを必要としない場合、「含む」なる用語、又はその変形は、包括的な意味で用いられる。すなわち、示された特徴の存在を特定する本発明の種々の実施態様における更なる特徴の存在又は追加を除外しない。
【００５０】
先行技術文献が本明細書に引用されるが、この参考文献は、これらの文書が、オーストラリア又は他の国における、本発明の分野における、共通の一般的知識の一部を形成するという承認を構成しない。
【図面の簡単な説明】
【００５１】
【図１】ベントナイトを有しないフィルター（すなわち、タバコの煙はフィルターを通過していない）と比較した、１本のタバコを喫煙した後のベントナイト（Ｂ）及び修飾ベントナイト（Ｃ及びＤ）フィルターの変色の相違を示す。
【図２】ヘキサン溶出した、タバコの煙を通していない吸着剤（ベントナイトクレー）のＧＣ／ＭＳクロマトグラムを示す（図１Ａ）。
【図３】図３は、ヘキサン溶出した、タバコの煙を通した市販のフィルターのＧＣ／ＭＳクロマトグラムを示す。図３ａ〜ｄは、試料のＭＳスペクトラルフラグメンテーションパターン（上部のスペクトル）と、商業的に入手できるフィルターについての、（ａ）トルエン、（ｂ）４−シクロペンテン−１，３−ジオン、（ｃ）フェノール及び（ｄ）ニコチンについての、スペクトラル参考ライブラリー（下部のスペクトル）のものとの比較を示す。
【図４】図４は、ヘキサン溶出した、タバコの煙を通した未修飾ベントナイトフィルターのＧＣ／ＭＳクロマトグラムを示す。図４ａ〜ｆは、試料のＭＳスペクトルフラグメンテーションパターン（上部のスペクトル）と、未修飾ベントナイトフィルターについての、（ａ）エチルベンゼン、（ｂ）ｐ−キシレン、（ｃ）ベンゼン、（ｄ）ｏ−クレゾール、（ｅ）ナフタレン及び（ｆ）ニコチンについての、スペクトル参考ライブラリー（下部のスペクトル）のものとの比較を示す。
【図５】ヘキサン溶出した、タバコの煙を通した、ＣＴＡＢで修飾したベントナイトフィルターのＧＣ／ＭＳクロマトグラムを示す。
【図６】ヘキサン溶出した、タバコの煙を通した、ＴＴＡＢで修飾したベントナイトフィルターのＧＣ／ＭＳクロマトグラムを示す。
【図７】本明細書に開示されたベントナイトを有するフィルター材料を含む、本発明の実施態様によるタバコの一部を切り取った図面である。
【図８】本明細書に開示されたベントナイトを有するフィルター材料を含む、本発明の実施態様によるガスマスクの正面図である。
【図９】本明細書に開示されたベントナイトを有するフィルター材料を含む、本発明の実施態様による自動車排ガスの斜視図である。
【図１０】本明細書に開示されたベントナイトを有するフィルター材料を含む、本発明の実施態様による空調ユニットの斜視図である。
【図１１】本明細書に開示されたベントナイトを有するフィルター材料を含む、本発明の実施態様による排気筒の斜視図である。
【図１】
2008543537.tif 000006
【図２】
2008543537.tif 000007
【図３】
2008543537.tif 000008
【図３ａ】
2008543537.tif 000009
【図３ｂ】
2008543537.tif 000010
【図３ｃ】
2008543537.tif 000011
【図３ｄ】
2008543537.tif 000012
【図４】
2008543537.tif 000013
【図４ａ】
2008543537.tif 000014
【図４ｂ】
2008543537.tif 000015
【図４ｃ】
2008543537.tif 000016
【図４ｄ】
2008543537.tif 000017
【図４ｅ】
2008543537.tif 000018
【図４ｆ】
2008543537.tif 000019
【図５】
2008543537.tif 000020
【図６】
2008543537.tif 000021
【図７】
2008543537.tif 000022
【図８】
2008543537.tif 000023
【図９】
2008543537.tif 000024
【図１０】
2008543537.tif 000025
【図１１】
2008543537.tif 000026
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
高温燃焼で生じるガス体由来の毒素及び／又は環境汚染物質を除去するためのフィルター材料であり、ベントナイトが、前記ガス体と前記ベントナイトとの間で接触することができるように担体中に配置され、前記ベントナイトの少なくとも一部が、化学的又は物理的処理によって修飾されている、フィルター材料。
【請求項２】
前記ベントナイトが、粉砕、顆粒及び／又は粉末形状である、請求項１記載のフィルター材料。
【請求項３】
前記ベントナイトがカルシウムベントナイトである、請求項１又は２記載のフィルター材料。
【請求項４】
前記ベントナイトが修飾及び未修飾ベントナイトの混合物を含む、請求項１記載のフィルター材料。
【請求項５】
前記ベントナイト粒子の少なくとも一部の表面が、界面活性剤の導入により修飾されている、請求項２記載のフィルター材料。
【請求項６】
親水性を低下させるために、前記ベントナイトの少なくとも一部が、１以上の界面活性剤の導入により修飾されている、請求項１乃至５のいずれか１項記載のフィルター材料。
【請求項７】
前記界面活性剤がカチオン性界面活性剤である、請求項６記載のフィルター材料。
【請求項８】
前記界面活性剤が、一般式（ＣＨ３）３ＮＲ＋の四級アンモニウム界面活性剤である、請求項６記載のフィルター材料。
【請求項９】
前記界面活性剤が、臭化セチルトリメチル（ＣＴＡＢ）及び／又はトシル化セチルトリメチルアンモニウム（ＴＴＡＢ）である、請求項６記載のフィルター材料。
【請求項１０】
前記担体がポリマーマトリクスである、請求項１乃至９のいずれか１項記載のフィルター材料。
【請求項１１】
請求項１乃至１０のいずれか１項記載のフィルター材料を含むタバコ、喫煙パイプ又は葉巻。
【請求項１２】
請求項１乃至１０のいずれか１項記載のフィルター材料を含むガスマスク。
【請求項１３】
請求項１乃至１０のいずれか１項記載のフィルター材料を含む空調ユニット。
【請求項１４】
請求項１乃至１０のいずれか１項記載のフィルター材料を含む自動車の排ガス。
【請求項１５】
請求項１乃至１０のいずれか１項記載のフィルター材料を含む排気筒。
【請求項１６】
高温燃焼によって生じるガス体由来の毒素及び／又は環境汚染物質を除去する方法であり、前記ガス体とベントナイトを接触させ、前記ベントナイトの少なくとも一部が、化学的又は物理的処理によって修飾されている、方法。
【国際調査報告】
2008543537.tif 000027
2008543537.tif 000028
2008543537.tif 000029